(57)【要約】      （修正有）【課題】統合失調症およびうつ病の患者に最適な自律訓練プログラムを提供する。【解決手段】統合失調症およびうつ病の患者さんになぜ現在の状況になったかを聞き、あるいは家族に聞き、更に生まれてから現在に至るまでの背景、家族状況を聞いて原因分析します。そして性格、血液型、誕生日から最適な自律訓練プログラムＣＤ（好ましくない考え方のくせを治し、良い考え方を習慣づけるような音声アドバイス）を作成し、集中して身に付けるため高速回転させて患者さんに１時間聴かせ続けます。回転速度はＮＨＫのニュースの速度を１倍速とすると３〜３．５倍速で、これを１ヶ月以上続けさせます。丁度、樹木の枝葉に何か飛んで来た虫に気が散っているような状態から、幹に意識を向けさせて、被害妄想を正常な思考回路に戻してその回路を反復させて習慣化させます。【選択図】なし【特許請求の範囲】
【請求項１】
新しい治療法の提案は次の通りです。まず統合失調症およびうつ病の患者さんになぜ現在の状況になったかを聞き、あるいは家族に聞き、更に生まれてから現在に至るまでの背景、家族状況を聞いて原因分析します。そして性格、血液型、誕生日から最適な自律訓練プログラムＣＤ（好ましくない考え方のくせを治し、良い考え方を習慣づけるような音声アドバイス）を作成し、集中して身に付けるため高速回転させて患者さんに１時間聴かせ続けます。回転速度はＮＨＫのニュースの速度を１倍速とすると３〜３．５倍速で、これを１ヶ月以上続けさせます。丁度、樹木の枝葉に何か飛んで来た虫に気が散っているような状態から、幹に意識を向けさせて、被害妄想を正常な思考回路に戻してその回路を反復させて習慣化させます。またＢＧＭとしてモーツアルトのトルコ行進曲を用い、通常生活でもこの曲を繰り返し聴かせます。
この方法は私が統合失調症と診断され２回の入院生活、通院生活でメジャートランキライザーによりドーパミンが抑えられ、いわゆる陰性症状とされる副作用でうつ状態から脱却した闘病生活より得られた方法を記したものです。
【発明の詳細な説明】
【技術分野】
【０００１】  本発明は統合失調症の陰性症状およびうつ病の患者さんのための薬物を用いない治療に関する。
【背景技術】
【０００２】  統合失調症の治療にはメジャートランキライザーが用いられていますが、ドーパミンを抑えるために慢性投与により陰性症状が現れます。この症状はうつ病そのものです。これは私の経験から述べております。
人間には精神的な波があります。その波が大きい人は双極性障害となり、波が小さい人は病気とは診断されない。病人と健常人の境界線はどこで引かれるのでしよう。
ところで人間はコンピューターと違い、並列的な思考を行います。０か１のデジタルではなく、無限なアナログ思考です。従ってその樹海に一旦入り込むと抜け出すのは容易ではありません。抜け出せるのが健常人であり、抜け出せないのが病気と診断される人です。
飲酒では大脳が麻痺し、無意識の世界が訪れ、話すべきではないことを反射的に話してしまったり、どうやって家に辿り着いたかわからないことがあります。これは夢遊病の状態ではないでしょうか？
人間の思考回路は樹状的であり、枝葉から幹に瞬時に戻るには日頃の習慣が不可欠です。これが日常的に出来ない人は統合失調症となります。統合失調症の前段階が双極性障害の躁状態です。躁状態の誇大妄想から、覚醒状態が進行し、幻覚、幻聴が現れ被害妄想へと転じ、統合失調症となります。また幻覚、幻聴は健常人では聴こえなかったり、見えなかったりします。覚醒状態では感覚が研ぎ澄まされ他人の会話が聴こえ、自分のことを噂されていると勘違いし被害妄想になり悪循環となります。幻覚は錯視と似ています。
いわゆる精神病の始まりは睡眠不足です。睡眠不足だとナチュラルハイ状態になり、躁状態へ移行します。躁の時に勘違いで自分の都合の良いことを思考すると誇大妄想となります。そして気分が大きくなり、金銭感覚が麻痺します。飲酒した時に良く似ています。そしていわゆる幻聴、幻覚が現れると（実際には覚醒状態による異常興奮で感覚が非常に研ぎ澄まされ他人の会話に過敏に反応し、類似点が多いと）被害妄想へと移行します。そして統合失調症への移行です。急性期の統合失調症の治療はメジャートランキライザーの投与と手足腰の縛り付けがメインとなります。
【発明の開示】
【発明が解決しようとする課題】
【０００３】  統合失調症の治療はメジャートランキライザーの投与と手足腰の縛り付けです。これは医療従事者にとっては手間が省けますが、患者さんにとっては大変な苦痛です。私も２年前に統合失調症で入院中、面会に来てくれた父親と喧嘩をして、怒って帰った父親に謝ろうと脱走を図ったところ、５〜６名の医師に取り抑えられ、鍵の掛けられた部屋に入れられ手足腰を縛り付けられ、腰痛となりました。
またメジャートランキライザーの慢性投与によりうつ状態に陥りました。これが統合失調症の陰性症状と呼ばれるものと考えます。とても辛いです。また、入院中、次のような患者さんがいました。妻子のある３０代後半の男性だったと思いますが、車椅子の生活でした。特に問題となるような異常は見られませんでした。彼とは２人部屋で一緒でした。おそらく動き過ぎると理由から薬を大量に飲まされたのだと思いますが、それ以降、彼はぐったりとしてしまい、食事の時に起こして食べさせるのが大変そうでした。薬は恐ろしいものだと思いました。医療従事者本位の治療により患者さんの人権が無視されているのが現状です。これには医療従事者からの反論が多そうですが、その反論こそが他に治療方法がないことの証です。
【課題を解決するための手段】
【０００４】  新しい治療法の提案は次の通りです。まず統合失調症およびうつ病の患者さんになぜ現在の状況になったかを聞き、あるいは家族に聞き、更に生まれてから現在に至るまでの背景、家族状況を聞いて原因分析します。そして性格、血液型、誕生日から最適な自律訓練プログラムＣＤ（好ましくない考え方のくせを治し、良い考え方を習慣づけるような音声アドバイス）を作成し、集中して身に付けるため高速回転させて患者さんに１時間聴かせ続けます。回転速度はＮＨＫのニュースの速度を１倍速とすると３〜３．５倍速で、これを１ヶ月以上続けさせます。丁度、樹木の枝葉に何か飛んで来た虫に気が散っているような状態から、幹に意識を向けさせて、被害妄想を正常な思考回路に戻してその回路を反復させて習慣化させます。またＢＧＭとしてモーツアルトのトルコ行進曲を用い、通常生活でもこの曲を繰り返し聴かせます。
この方法は私が統合失調症と診断され２回の入院生活、通院生活でメジャートランキライザーによりドーパミンが抑えられ、いわゆる陰性症状とされる副作用でうつ状態から脱却した闘病生活より得られた方法を記したものです。
【発明の効果】
【０００５】  統合失調症の患者さんはメジャートランキライザーを投与され、急性期には手足腰の縛り付けを施されます。メジャートランキライザーはドーパミンＤ２受容体に選択性があり、ドーパミンの分泌を抑えます。これにより陰性症状へと移行します。これは経験上、医原性のうつ病と考えます。メジャートランキライザーの慢性投与によりうつ状態に陥り、抗うつ剤を併用します。精神科医はメジャートランキライザーを服薬したことがないので、うつ状態になることを体験していません。私たち統合失調症の患者はこれを体験しております。
私が考える治療法では患者さん個々の病態に合わせた音声アドバイスを聴くだけで副作用はありません。うつ状態になることはありません。うつ状態を脱却することも可能です。長期入院による医療費の削減にもなります。薬剤費も削減できます。薬物治療は対症療法ですが、私の考える治療法では原因分析をするので根治療法となります。統合失調症で苦しんでいる患者さん、うつ病で自殺する患者さんを救えると考えております。
【発明を実施するための最良の形態】
【０００６】  統合失調症およびうつ病の患者さんになぜ現在の状況になったかを聞き、あるいは家族に聞き、更に生まれてから現在に至るまでの背景、家族状況を聞いて原因分析します。そして性格、血液型、誕生日から最適な自律訓練プログラムＣＤ（好ましくない考え方のくせを治し、良い考え方を習慣づけるような音声アドバイス）を作成し、集中して身に付けるため高速回転させて患者さんに１時間聴かせ続けます。回転速度はＮＨＫのニュースの速度を１倍速とすると３〜３．５倍速で、これを１ヶ月以上続けさせます。丁度、樹木の枝葉に何か飛んで来た虫に気が散っているような状態から、幹に意識を向けさせて、被害妄想を正常な思考回路に戻してその回路を反復させて習慣化させます。またＢＧＭとしてモーツアルトのトルコ行進曲を用い、通常生活でもこの曲を繰り返し聴かせます。
【実施例】
【０００７】  統合失調症の陰性症状の患者（私）は“ＳＬＩＩという会社の決定版聴覚刺激で頭の回転が驚くほど速くなる”という書籍に付属の自律訓練法を利用した高速音声ＣＤを聴き、回転が鈍った頭を刺激し、自信を取り戻し、またモーツアルトのトルコ行進曲を聴くことにより頭の回転のテンポが良くなりました。うつ状態では頭の回転が鈍っており会話の理解力も落ちています。すると会話をするのが辛くなり、対人関係も悪くなり、会話が少なくなります。会話をしないと自分だけの妄想世界に入ってしまい、ネガティブ思考となります。
また頭の回転の速い人や気の合う人と会話するのも効果がありました。
【産業上の利用可能性】
【０００８】  私が考える治療法では患者さん個々の病態に合わせた高速音声アドバイスを聴くだけで副作用はありません。うつ状態になることはありません。うつ状態を脱却することも可能です。長期入院による医療費の削減にもなります。薬剤費も削減できます。薬物治療は対症療法ですが、私の考える治療法では原因分析をするので根治療法となります。統合失調症で苦しんでいる患者さん、うつ病で自殺する患者さんを救えると考えております。